(57)【要約】【課題】  従来のブラジャーは、ベルト背部の位置がカップ下端の位置とほぼ同じ位置に設けられているため、体に圧迫感や窮屈感を有することがあった。【解決手段】  乳房を収納する左右のカップと該カップを結び付ける連結体と該カップに取付けられたベルトとを有する上部肌着において、ベルトは着用時に体の脇部に位置するベルト脇部と着用時に体の背部に位置するベルト背部とを有し、上部肌着の着用状態で前記ベルト背部の下端である背部下端の位置を前記カップの下端の位置より上側に形成したことにより、上部肌着の体に対する圧迫感を低減させることができる。【選択図】  図１
2006144179.tif 000002
【特許請求の範囲】
【請求項１】
乳房を収納する左右のカップと該カップに取付けられたベルトとを有する上部肌着において、
前記ベルトは着用時に体の脇部に位置するベルト脇部と着用時に体の背部に位置するベルト背部とを有し、
前記ベルトを前記カップの下になるように脇の位置で折り畳み平面に置いた状態で、前記ベルト背部を左右の前記カップの頂点を結んだ直線よりも上側に位置するように形成したことを特徴とする上部肌着。
【請求項２】
乳房を収納する左右のカップと該カップに取付けられたベルトとを有する上部肌着において、
前記ベルトは着用時に体の脇部に位置するベルト脇部と着用時に体の背部に位置するベルト背部とを有し、  
上部肌着の着用状態で前記ベルト背部の下端位置を、呼吸時または運動時に体の変化が少なくなる位置である前記カップの下端の位置より上側の位置に形成したことを特徴とする上部肌着。
【請求項３】
前記カップと前記ベルト背部とにストラップを取付けた請求項１または２に記載の上部肌着。
【請求項４】
前記ベルト脇部の上辺である脇部上辺とベルト脇部の下辺である脇部下辺とが上側に湾曲して略部分楕円状に形成した請求項１乃至３の一つに記載の上部肌着。
【請求項５】
前記背部下端の位置を肩甲骨上に形成した請求項１乃至４の一つに記載の上部肌着。
【請求項６】
左右の前記カップを連結した位置より下側のベルトに第１伸縮部を設け、
前記カップの下端のベルトの前記第１伸縮部以外のところに第２伸縮部を設け、
前記第２伸縮部に連なる前記ベルト脇部に弱伸縮部を設け、
左右の前記弱伸縮部の間に第３伸縮部を設けた請求項１乃至５の一つに記載の上部肌着。
【発明の詳細な説明】
【技術分野】
【０００１】
ブラジャー等の肌着の形状及び材質に関する。
【背景技術】
【０００２】
従来、図７に示すように上部肌着であるブラジャー２３は女性のバストを整えて美しくみせるために、乳房の部分を覆うようにブラジャーのカップ２４を乳房に当て、ベルト２５のベルト脇部２７、ベルト背部２８及びストラップ２６でカップ２４をバストに固定していた。また、バストをより美しくみせるために、乳房を前方上方に寄せて上げるタイプのブラジャーや補整ブラジャー等が考案されている。（例えば、特許文献１参照）。また、この寄せて上げるタイプのブラジャーでは、運動時や呼吸時に圧迫感や窮屈感を感じることがあったため、素材に複数の異なる伸縮性のあるものを使って窮屈感を少なくしたブラジャーも考案されている（例えば、特許文献２参照）。このようにカップ部の形状や伸縮素材など部分的に検討したブラジャーはすでに考案されている。
【特許文献１】特開平９−９５８０６号公報
【特許文献２】実用新案第３０４２８６１号公報
【発明の開示】
【発明が解決しようとする課題】
【０００３】
しかしながら、ブラジャーの素材を変えただけでは運動時や呼吸時における胸部（肋骨近傍）の膨張及び収縮にブラジャーが充分に対応できないため、圧迫感や窮屈感を無くすことができなかった。
【課題を解決するための手段】
【０００４】
上記課題を解決するため、本願発明の上部肌着は、乳房を収納する左右のカップと該カップに取付けられたベルトとを有する上部肌着において、前記ベルトは着用時に体の脇部に位置するベルト脇部と着用時に体の背部に位置するベルト背部とを有し、前記ベルトを前記カップの下になるように脇の位置で折り畳み平面に置いた状態で、前記ベルト背部を左右の前記カップの頂点を結んだ直線よりも上側に位置するように形成したことにより、胸部の締付力を低減させることができる。
【０００５】
また、乳房を収納する左右のカップと該カップを結び付ける連結体と該カップに取付けられたベルトとを有する上部肌着において、ベルトは着用時に体の脇部に位置するベルト脇部と着用時に体の背部に位置するベルト背部とを有し、上部肌着の着用状態で前記ベルト背部下端位置を、呼吸時または運動時に体の変化が少なくなる位置である前記カップの下端の位置より上側に形成したことにより、さらに確実に胸部の締付力を低減させることができる。
【０００６】
また、前記カップと前記ベルト背部とにストラップを取付けたことにより、胸部の締付力を分散させることができる。
【０００７】
また、前記ベルト脇部の上辺である脇部上辺とベルト脇部の下辺である脇部下辺とが上側に湾曲して略部分楕円状に形成したことにより、体の脇部を安定させることができる。
【０００８】
また、前記背部下端の位置を肩甲骨上に形成したことにより、更に胸部の締付力を低減させることができる。
【０００９】
また、左右の前記カップを連結した位置より下側のベルトに第１伸縮部を設け、前記カップの下端のベルトの前記第１伸縮部以外のところに第２伸縮部を設け、前記第２伸縮部に連なる前記ベルト脇部に弱伸縮部を設け、左右の前記弱伸縮部の間に第３伸縮部を設けたことにより、構造上及び材質上の双方から更に胸部締付力を低減させることができる。
【発明の効果】
【００１０】
着用状態でベルト背部をカップ下端の位置より上側に設けることにより、ベルト背部でも乳房を支えることができ、肩紐にかかる力を分散させることができる。さらに、部分的に伸縮性の異なる素材を用いることにより、呼吸時だけではなく、運動時においても呼吸をしやすくすることができる。前記構成により、長時間着用していても圧迫感や窮屈感を感じることを少なくすることができる。
【発明を実施するための最良の形態】
【００１１】
本願発明の上部肌着の一実施形態を図面を参照しつつ説明する。
【００１２】
図１は本願発明の上部肌着であるブラジャーの図であり、（ａ）は斜視図、（ｂ）は右側面図、（ｃ）は後正面図である。
【００１３】
図１（ａ）に示すように、ブラジャー１は乳房を覆うための半球状のカップ２と、このカップ２を体の胸部に固定するための帯状のベルト３と、このカップ２を体の肩部に吊上げて固定するための帯状のストラップ４とを有している。また、このカップ２の種類にはフルカップ型、３／４カップ型、ハーフカップ型等があり、着用時のデザインや着心地等によって使い分けられている。そして、このカップ２の種類に関係なく、カップ２の下半球の下端にはベルト３の中央近傍の上端が連設され、このベルト３の背部に取付られた固定具であるホック（後環）（図示せず）をかけることで、カップ２を体に固定することができるようになっている。また、カップ２の上端からは胸部から肩部を通り背部のベルト３に至るまでストラップ４が連設されており、カップ２にかかる乳房の荷重をストラップ４によって肩部で支えられる。このような構成により、ブラジャー１は所定の位置に乳房を安定させることができるようになっている。
【００１４】
また、このベルト３は前記カップ２の下側近傍のベルト前部５と、ベルト前部５から連設されて体の脇近傍に位置するベルト脇部６と、ベルト脇部６から連設されて体の背部近傍に位置するベルト背部７とを有する構成になっている。このベルト前部５は略山字状に形成されており、ベルト前部５の上辺をカップ２に連設させ、ベルト前部５の下辺は略直線状に形成されており、左右のカップの位置を安定させるとともに、呼吸や体の動きの妨げにならないようになっている。そして、図１（ｂ）に示すように、ベルト脇部６の上辺である脇部上辺８と、ベルト脇部６の下辺である脇部下辺９との幅はカップ２の近傍で左右のカップを安定させるため最も広く形成されており、背部にいくにしたがって狭くなるように形成されることにより、無理なく体の脇部を整えることができる。また、この脇部上辺８は体の腕の動きの妨げにならないように、腕の根本部分を迂回するように上側に湾曲して略部分楕円状に形成され、脇部下辺９も脇部上辺８の形状に対応するように略部分楕円状に形成されている。そして、図１（ｃ）に示すように、ベルト背部７の上辺である背部上辺１０と、ベルト背部７の下辺である背部下辺１１とは、それぞれ脇部上辺８と脇部下辺９とに連設され、この背部上辺１０と脇部上辺８、及び背部下辺１１と脇部下辺９の接続部近傍は、少なくともこの上辺側が肩甲骨の最も突出している部分より上方に位置するように形成されている。また、背部上辺１０と脇部上辺８の接続部近傍にはストラップが設けられている。このような構成により、ベルトだけでも乳房を上方に持ち上げることができる。
【００１５】
図２は上部肌着であるブラジャーを着用したときのブラジャーにかかる作用力をイメージ的に示した右側面図であり、（ａ）は従来のブラジャー着用時の図、（ｂ）は本願発明のブラジャー着用時の図である。
【００１６】
図２の実線矢印はブラジャー１が体から受ける力を示し、点線矢印は体がブラジャー１から受ける力を示している。また、図２（ａ）に示すように、ブラジャー１は、着用時に体から反力Ｆａをベルト背部７に受けることになる。ここで、人の背部の特徴を簡単に説明すると、人の体は首１２の部分から肩甲骨１３に至るまで緩やかに後側に張り出し、肩甲骨１３を境に再び前側に戻ってくるようになっている。これにより、ブラジャー１のベルト背部７の体における接線Ｓ１と、この部分の地面に対する垂線Ｖ１との角度をθ１とすると、背部下辺１１がアンダーバストライン１４と同じか、またはそれより下側にある場合、ブラジャー１にかかる反力Ｆａは、水平方向に対して角度θ１だけ下方に傾いた方向にかかる。この反力Ｆａにより、ブラジャー１のベルト背部７は下方に押されてブラジャー１が下方にズレていくようになり、カップにおける体がブラジャーから受ける力は、乳房下部を下から押し上げる力より、乳房上部を上から押さえる力の方が大きくなるので乳房を潰す力が働く。このズレと体がブラジャーから受ける力を低減するためにストラップ４などを設けて、肩でズレを防止するようになっている。しかし、このズレを防止するためのストラップ４により肩に反力Ｆａの一部がかかるため、肩こりなどの原因になっている。
【００１７】
一方、図２（ｂ）に示すように、ブラジャー１のベルト背部７の体における接線Ｓ２と、この部分の地面に対する垂線Ｖ２との角度をθ２とすると、背部下辺１１が肩甲骨１３の突出部１４から上側にある場合、ブラジャー１にかかる反力Ｆｂは、水平方向に対して角度θ２だけ上方に傾いた方向にかかる。この反力Ｆｂにより、ブラジャー１のベルト背部７は上方に押されてブラジャー１をズレ無いようにする力が働く。
【００１８】
また、この力により肩のストラップ４にかかる力が低減され、肩こりなどを低減することができる。さらに、体がブラジャーから受ける力は、乳房下部を下から押し上げる力の方が、乳房上部を押さえる力より大きくなるので自然にバストアップされる。このように、ベルト背部７の取付け位置を変えることにより、肩こりなどを低減することをできるが、それ以外の身体に圧迫感や窮屈感を与えるものとして、胸部の圧迫に起因するものがある。これについて以下に示す。
【００１９】
図３は呼吸をしたときの胸部の変化を示した図であり、（ａ）は吸気時と呼気時との体の変化を示した図であり、（ｂ）は（ａ）の各部分の寸法差を示した図である。
【００２０】
図３に示すように、呼吸時における上半身の寸法差の違いは、呼吸時に前中心では寸法差ａ（右断面図の寸法差ａ’に対応する胸囲方向の寸法差）が１．５〜２ｃｍ、脇では寸法差ｂ（右断面図の寸法差ｂ’に対応する胸囲方向の寸法差）が０ｃｍ（ほとんど変化なし）、肩甲骨位置（後中心）では寸法差ｃ（右断面図の寸法差ｃ’に対応する胸囲方向の寸法差）が０．１〜０．２ｃｍ、アンダーバスト位置（後中心）では寸法差ｄ（右断面図の寸法差ｄ’に対応する胸囲方向の寸法差）が０．５〜０．７ｃｍである。ここで、ベルト背部７をアンダーバスト位置に設けるより、肩甲骨位置に設けた方がブラジャー１の伸縮による寸法差は小さくなる。つまり、呼吸時の上半身の膨張によるベルト３の体への締付力（弾性力）が、ベルト背部７をアンダーバスト位置に設けることと比べて肩甲骨位置に設ける方が小さくなり、肩甲骨位置にベルト背部７を設けることにより、呼吸時の圧迫感を少なくすることができる。
【００２１】
図４は上部肌着であるブラジャーを着用したときの胸部を締付ける力をイメージ的に示した右側面図であり、（ａ）は従来のブラジャー着用時の図、（ｂ）は本願発明のブラジャー着用時の図である。
【００２２】
図４（ａ）に示すように、ベルト３がアンダーバストの位置に設けられている場合、カップの上端に位置するカップ上端１５と、カップの下端に位置するカップ下端１６と、ベルト背部の背部位置１７とを結ぶ三角形を考える。このとき、体の背部がブラジャー１から受ける力Ｆｃは、三角形の上辺であるカップ上端１５と背部位置１７とを結んだ直線方向に受ける力と、三角形の下辺であるカップ下端１６と背部位置１７とを結んだ直線方向に受ける力とに分けられる。この場合は三角形の下辺、つまり、ベルト３による締付力のアンダーバストラインにおける力が強いため、呼吸時の胸部の圧迫感が増加することになる。一方、図４（ｂ）に示すように、背部位置１７がアンダーバストラインより上側へ移動した場合、体の背中がブラジャー１から受ける力Ｆｃを、背中位置１７とカップ下端１６とを結ぶ方向の力と、背中位置１７とカップ上端１５とを結ぶ方向の力とに分けると、背中位置１７とカップ上端１５を結ぶ方向の力より背中位置１７とカップ下端１６とを結ぶ方向の力の方が弱いことになる。つまり、ベルトの下辺による締付力が低くなり、呼吸時における体の変化が一番大きい部分（ベルトの下辺）の圧迫感が低減される。また、図４（ａ）における背中位置１７からカップ下端１６へ結ぶ方向にかかる力と、図４（ｂ）における背中位置１７からカップ下端１６へ結ぶ方向にかかる力とを比べた場合においても、（図４（ａ）における背中位置１７からカップ下端１６の長さ）＜（図４（ｂ）における背中位置１７からカップ下端１６の長さ）であることから、背中位置１７からカップ下端１６に同じ力がかかったとしても体に感じる力はＦca＞Ｆcbである。さらに、この体の変化（深呼吸における吸気時と呼気時との差）は、図４（ａ）ではベルトの下辺の外周の寸法差は４．０〜５．０ｃｍであり、図４（ｂ）ではベルトの下辺の外周の寸法差は１．５〜２．０ｃｍである。このことにより、背部位置１７を上側に変えることで、体の変化が一番大きな部分を締付けることを避けることができると共に、体に感じる圧迫感も軽減させることができる。次に、前記締付力を更に低減させるために、ブラジャー１に使われる素材について説明する。
【００２３】
図５は本願発明の上部肌着であるブラジャーの異なる素材の使用位置を示した図であり、（ａ）は正面図、（ｂ）は右側面図、（ｃ）は後正面図である。
【００２４】
図５に示すように、左右のカップ２は乳房を固定するために立体的に形成され、伸縮の有無にかかわらず種々の素材が用いられている。この左右のカップは、左右のカップの間に伸縮性のない連結体１８で連結されており、呼吸時や運動時に体が変化（胸部寸法の変化）しても左右のカップ２の位置関係が保たれるようになっている。また、この連結体１８と、左右のカッブ２との下側に連設されたベルト前部５の略三角形状の部分には、第１伸縮部１９（伸縮性の強い素材が用いられている）を有し、図３（ｂ）に示されている前中心の寸法差を吸収できるようになっている。また、この第１伸縮部１９の外側で左右のカップの下側には、それぞれ第２伸縮部２０（伸縮性のやや強い素材が用いられている）を有し、図３（ｂ）に示されている前中心に隣接する部分の寸法差を吸収できるようになっている。そして、この左右の第２伸縮部２０の後側には弱伸縮部２１（伸縮性の少ない素材が用いられている）を有しており、胸囲部分で最も安定している動きと寸法差の少ない脇部分とを安定させている。さらに、この左右の弱伸縮部２１を結んで体の背部近傍には第３伸縮部２２（伸縮性のある素材が用いられている）を有しており、図３（ｂ）に示されている後中心の寸法差を吸収できるようになっている。ここで、この第１伸縮部１９、第２伸縮部２０、第３伸縮部２２、及び弱伸縮部２１の伸縮度（伸び易さ）は、第１伸縮部１９＞第２伸縮部２０＞第３伸縮部２２＞弱伸縮部２１となっており、第１伸縮部１９が最も伸び易く、弱伸縮部２１が最も伸び難くなるように形成されている。
【００２５】
図６は上部肌着であるブラジャーをベルトをカップの下になるように脇の位置で折り畳んで机などの平面に置いた状態の図であり、（ａ）は従来のブラジャーの図７のＡ部矢視図、（ｂ）は本願発明のブラジャーの図１のＢ部矢視図である。
【００２６】
ブラジャーを体からはずしてベルトをカップの下になるように脇の位置で折り畳んで机などの平面に置いた状態では、図６（ａ）に示すような従来のブラジャーでは、ベルト背部２８は左右のカップ２４の頂点を結んだ直線Ｌａよりも下側に位置するように形成され、また、図６（ｂ）に示すような本願発明のブラジャーでは、ベルト背部２８は左右のカップ２４の頂点を結んだ直線Ｌａよりも上側に位置するように形成されている。
【００２７】
上記構成のように体型と体の機能（呼吸時や運動時の体の変化）とをブラジャーの形状に関連づけることにより、圧迫感や窮屈感の少ないブラジャー１を構成することができ、自然なバストアップや腹部・背部のリフトアップができることになる。さらに、筋肉の緊張が緩和されるので運動能力が向上し、血行もよくなり肩こりなどの血行不良も低減されることにより、体全体の機能が低下するのを防ぐことができる。しかしながら、本発明はこの実施形態に限定されるものではなく、例えば、ブラジャー１の着用時に用いられる係止具であるホック（後環）を後止めではなく上記連結体に用いられるフロントホックにかえてもよい。また、上記各伸縮部の設定範囲は厳密に規定されるものではない。
【産業上の利用可能性】
【００２８】
ブラジャーを含む女性用のアンダーウェアーに利用することができる。
【図面の簡単な説明】
【００２９】
【図１】本願発明の上部肌着であるブラジャーの図であり、（ａ）は斜視図、（ｂ）は右側面図、（ｃ）は後正面図である。
【図２】上部肌着であるブラジャーを着用したときのブラジャーにかかる作用力をイメージ的示した右側面図であり、（ａ）は従来のブラジャー着用時の図、（ｂ）は本願発明のブラジャー着用時の図である。
【図３】呼吸をしたときの胸部の変化を示した図であり、（ａ）は吸気時と呼気時との体の変化を示した図であり、（ｂ）は（ａ）の各部分の寸法差を示した図である。
【図４】上部肌着であるブラジャーを着用したときの胸部を締付ける力をイメージ的に示した右側面図であり、（ａ）は従来のブラジャー着用時の図、（ｂ）は本願発明のブラジャー着用時の図である。
【図５】本願発明の上部肌着であるブラジャーの異なる素材の使用位置を示した図であり、（ａ）は正面図、（ｂ）は右側面図、（ｃ）は後正面図である。
【図６】上部肌着であるブラジャーをベルトをカップの下になるように脇の位置で折り畳んで机などの平面に置いた状態の図であり、（ａ）は従来のブラジャーの図７のＡ部矢視図、（ｂ）は本願発明のブラジャーの図１のＢ部矢視図である。
【図７】従来の上部肌着であるブラジャーの図であり、（ａ）は斜視図、（ｂ）は右側面図、（ｃ）は後正面図である。
【符号の説明】
【００３０】
１  ブラジャー
２  カップ
３  ベルト
４  ストラップ
５  ベルト前部
６  ベルト脇部
７  ベルト背部
８  脇部上辺
９  脇部下辺
１０  背部上辺
１１  背部下辺
１８  連結体    
１９  第１伸縮部
２０  第２伸縮部
２１  弱伸縮部
２２  第３伸縮部
２３  ブラジャー
２４  カップ
２５  ベルト
２６  ストラップ
２７  ベルト脇部
２８  ベルト背部
【図１】
2006144179.tif 000003
【図２】
2006144179.tif 000004
【図３】
2006144179.tif 000005
【図４】
2006144179.tif 000006
【図５】
2006144179.tif 000007
【図６】
2006144179.tif 000008
【図７】
2006144179.tif 000009